(57)【要約】【課題】外部電力供給源以外にもエネルギー貯蔵装置及び新再生エネルギー源が付加された場合、負荷に供給される電力に対する消費状態とエネルギー貯蔵装置及び新再生エネルギー源の電力生産状態を総合的にモニタリングすることのできる電力モニタリングシステムを提供する。【解決手段】電力モニタリングシステムは、新再生エネルギー源１５０、エネルギー貯蔵装置１４０、分電盤１２０、第１電力測定装置１７１、第２電力測定装置１７２、第３電力測定装置１７３、第４電力測定装置１７４及びサーバ１０を含む。【選択図】図２
2017051087.tif 000002
【特許請求の範囲】
【請求項１】
外部電力供給源、エネルギー貯蔵装置、新再生エネルギー源及び分電盤を含む電力モニタリングシステムにおいて、
電力を印加する外部電力供給源；
電力を生成し、前記生成された電力を前記エネルギー貯蔵装置に印加する新再生エネルギー源；
前記外部電力供給源から印加される電力及び前記新再生エネルギー源から印加される電力の少なくとも一つを貯蔵し、前記貯蔵された電力を前記分電盤に放電するエネルギー貯蔵装置；
前記外部電力供給源及び前記エネルギー貯蔵装置の少なくとも一つから印加された電力を負荷に分配する分電盤；
前記外部電力供給源の出力端に連結され、前記外部電力供給源から印加される第１電力量データを取得する第１電力測定装置；
前記分電盤の入力端に連結され、前記分電盤から前記負荷に分配される第２電力量データを取得する第２電力測定装置；
前記エネルギー貯蔵装置の入力端に連結され、前記エネルギー貯蔵装置に印加される第３電力量データを取得する第３電力測定装置；
前記新再生エネルギー源の出力端に連結され、前記新再生エネルギー源から前記エネルギー貯蔵装置に印加される第４電力量データを取得する第４電力測定装置；及び
前記第１電力量データ、前記第２電力量データ、前記第３電力量データ及び前記第４電力量データの少なくとも一つに基づいて電力をモニタリングするサーバ；を含む、
電力モニタリングシステム。
【請求項２】
前記サーバは、
前記エネルギー貯蔵装置がＤＣ充電モードであれば、
前記第１電力量データまたは前記第２電力量データを利用して前記負荷の消費電力量を獲得し、
前記第４電力量データを利用して前記エネルギー貯蔵装置のＤＣ充電量を獲得する、
請求項１に記載の電力モニタリングシステム。
【請求項３】
前記サーバは、
前記エネルギー貯蔵装置がＡＣ充電モードであれば、
前記第１電力量データ及び前記第３電力量データの少なくとも一つと前記第２電力量データを利用して前記負荷の消費電力量及び前記エネルギー貯蔵装置のＡＣ充電量を獲得し、
前記第４電力量データを利用して前記エネルギー貯蔵装置のＤＣ充電量を獲得する、
請求項１または２に記載の電力モニタリングシステム。
【請求項４】
前記サーバは、
前記エネルギー貯蔵装置が放電モードであれば、
前記第１電力量データ及び前記第３電力量データの少なくとも一つと前記第２電力量データを利用して前記負荷の消費電力量及び前記エネルギー貯蔵装置のＡＣ放電量を獲得し、
前記第４電力量データを利用して前記エネルギー貯蔵装置のＤＣ充電量を獲得する、
請求項１乃至３のいずれか一項に記載の電力モニタリングシステム。
【請求項５】
前記第２電力量データは、
前記負荷の電力消費パターンを含み、
前記サーバは、
前記第２電力量データをＮＩＬＭアルゴリズムを利用して分析することにより、前記負荷が消費する電力量を獲得する、
請求項１乃至４のいずれか一項に記載の電力モニタリングシステム。
【請求項６】
前記新再生エネルギー源は、太陽光発電装置である、
請求項１乃至５のいずれか一項に記載の電力モニタリングシステム。
【請求項７】
前記サーバは、
前記第１電力量データ、前記第２電力量データ、前記第３電力量データ及び前記第４電力量データの少なくとも一つを収集する通信部；
前記収集された電力量データを利用して電力をモニタリングする制御部；
前記モニタリング結果を格納する格納部；及び
前記モニタリング結果を出力する出力部；を含む、
請求項１乃至６のいずれか一項に記載の電力モニタリングシステム。
【請求項８】
外部電力供給源、エネルギー貯蔵装置、新再生エネルギー源及び分電盤を含む電力モニタリングシステムにおいて、
電力を印加する外部電力供給源；
前記外部電力供給源から印加された電力を前記エネルギー貯蔵装置及び負荷の少なくとも一つに分配する分電盤；
電力を生成し、前記生成された電力を前記エネルギー貯蔵装置に印加する新再生エネルギー源；
前記外部電力供給源から印加される電力及び前記新再生エネルギー源から印加される電力の少なくとも一つを貯蔵し、前記貯蔵された電力を前記分電盤を通して前記負荷に印加するエネルギー貯蔵装置；
前記外部電力供給源から印加される第１電力量データを取得する第１電力測定装置；
前記負荷及び前記エネルギー貯蔵装置の少なくとも一つに分配される第２電力量データを取得する第２電力測定装置；
前記分電盤で分配されて前記エネルギー貯蔵装置に印加される第３電力量データを取得する第３電力測定装置；
前記新再生エネルギー源から前記エネルギー貯蔵装置に印加される第４電力量データを取得する第４電力測定装置；及び
前記第１電力量データ、前記第２電力量データ、前記第３電力量データ及び前記第４電力量データの少なくとも一つに基づいて電力をモニタリングするサーバ；を含む、
電力モニタリングシステム。
【請求項９】
前記サーバは、
前記エネルギー貯蔵装置がＤＣ充電モードであれば、
前記第１電力量データまたは前記第２電力量データを利用して前記負荷の消費電力量を獲得し、
前記第４電力量データを利用して前記エネルギー貯蔵装置のＤＣ充電量を獲得する、
請求項８に記載の電力モニタリングシステム。
【請求項１０】
前記サーバは、
前記エネルギー貯蔵装置がＡＣ充電モードであれば、
前記第１電力量データ及び前記第３電力量データの少なくとも一つと前記第２電力量データを利用して前記負荷の消費電力量及び前記エネルギー貯蔵装置のＡＣ充電量を獲得し、
前記第４電力量データを利用して前記エネルギー貯蔵装置のＤＣ充電量を獲得する、
請求項８または９に記載の電力モニタリングシステム。
【請求項１１】
前記サーバは、
前記エネルギー貯蔵装置が放電モードであれば、
前記第１電力量データ及び前記第３電力量データの少なくとも一つと前記第２電力量データを利用して前記負荷の消費電力量及び前記エネルギー貯蔵装置のＡＣ放電量を獲得し、
前記第４電力量データを利用して前記エネルギー貯蔵装置のＤＣ充電量を獲得する、
請求項８乃至１０のいずれか一項に記載の電力モニタリングシステム。
【請求項１２】
前記第２電力量データは、
前記負荷及び前記エネルギー貯蔵装置の少なくとも一つの電力消費パターンを含み、
前記サーバは、
前記第２電力量データをＮＩＬＭアルゴリズムを利用して分析することにより、前記負荷及び前記エネルギー貯蔵装置の少なくとも一つが消費する電力量を獲得する、
請求項８乃至１１のいずれか一項に記載の電力モニタリングシステム。
【請求項１３】
前記新再生エネルギー源は、太陽光発電装置である、
請求項８乃至１２のいずれか一項に記載の電力モニタリングシステム。
【請求項１４】
前記サーバは、
前記第１電力量データ、前記第２電力量データ、前記第３電力量データ及び前記第４電力量データの少なくとも一つを収集する通信部；
前記収集された電力量データを利用して電力をモニタリングする制御部；
前記モニタリング結果を格納する格納部；及び
前記モニタリング結果を出力する出力部；を含む、
請求項８乃至１３のいずれか一項に記載の電力モニタリングシステム。
【発明の詳細な説明】
【技術分野】
【０００１】
本発明は、電力モニタリングシステムに関する。
【背景技術】
【０００２】
デジタル技術及びネットワーク技術の発展とともに、生活家電及び情報家電機器もまた技術の融合・複合化によって様々な機能を備えた形態で開発されている。また、各家庭及び事務室では、このようなデジタル融合・複合機器が広く普及されている。しかし、機能の融合・複合化及びネットワーキング機能の支援により、このような情報家電機器は、使用者の要請による電力消費、及び使用者の意図とは異なり、使用者が認識できていない間に待機電力が消費されるようになる。
【０００３】
しかし、使用者は、自身のどの機器が、どの特定期間の間、どれほどの電力を消耗するのかが分からず、電気エネルギー節約の必要性を感じていない。
このような問題点を解決するために、電子機器別のエネルギー消費モニタリング機能と関連して、家庭及び建物の単位別に消耗される電力量の総量を測定する計器により、電子機器別に特定期間を定めて電力消費量及び電力消費形態を分析及びモニタリングできる技術がある。
【０００４】
図１は、従来の電力モニタリングシステムのブロック構成図である。
【０００５】
図１を参照すると、従来の電力モニタリングシステムにおいて、外部電力供給源１から各家庭３に供給される電力は、各家庭３毎に設けられる分電盤２を通してコンセントに連結された家電機器に供給することができる。特に、分電盤２には、外部電力供給源１から供給される電力が家庭３内の家電機器でどのように使われるか、電力の使用状態及び使用電力量を確認するための電力測定装置４を構成する。
【０００６】
上述した電力測定装置４は、家電機器の電力使用量及び使用パターン情報を利用して、遠隔地のサーバを通して個別モニタリングを実行することができる。
【０００７】
一方、最近は、外部電力供給源１以外の発電源またはエネルギー源を利用して家庭３内の家電機器に電力を供給する事例が益々増加している傾向にある。ここで、外部電力供給源１以外の発電源またはエネルギー源の代表的な例としては、太陽光発電装置等の新再生エネルギー源、エネルギー貯蔵装置が挙げられる。
【０００８】
ただし、従来の電力モニタリングのためのシステムは、システムに新再生エネルギー源とエネルギー貯蔵装置が連結されて電力を供給する場合、新再生エネルギー源及びエネルギー貯蔵装置により付加的に供給される電力量を取得することができない。従って、使用者の立場では、家庭３内の家電機器だけでなく、エネルギー貯蔵装置及び新再生エネルギー源から付加的に流入する電力量まで考慮して、家庭での電力の生産及び消費を総合的にモニタリングすることができない問題点があった。
【発明の概要】
【発明が解決しようとする課題】
【０００９】
本発明は、上述した問題点を解決するためのものであって、本発明の目的は、外部電力供給源以外にもエネルギー貯蔵装置及び新再生エネルギー源が付加された場合、負荷に供給される電力に対する消費状態とエネルギー貯蔵装置及び新再生エネルギー源の電力生産状態を総合的にモニタリングすることのできる電力モニタリングシステムを提供することである。
【課題を解決するための手段】
【００１０】
本発明の実施形態に係る、外部電力供給源、エネルギー貯蔵装置、新再生エネルギー源及び分電盤を含む電力モニタリングシステムは、電力を印加する外部電力供給源、電力を生成し、前記生成された電力を前記エネルギー貯蔵装置に印加する新再生エネルギー源、前記外部電力供給源から印加される電力及び前記新再生エネルギー源から印加される電力の少なくとも一つを貯蔵し、前記貯蔵された電力を前記分電盤に放電するエネルギー貯蔵装置、前記外部電力供給源及び前記エネルギー貯蔵装置の少なくとも一つから印加された電力を負荷に分配する分電盤、前記外部電力供給源の出力端に連結され、前記外部電力供給源から印加される第１電力量データを取得する第１電力測定装置、前記分電盤の入力端に連結され、前記分電盤から前記負荷に分配される第２電力量データを取得する第２電力測定装置、前記エネルギー貯蔵装置の入力端に連結され、前記エネルギー貯蔵装置に印加される第３電力量データを取得する第３電力測定装置、前記新再生エネルギー源の出力端に連結され、前記新再生エネルギー源から前記エネルギー貯蔵装置に印加される第４電力量データを取得する第４電力測定装置、及び、前記第１電力量データ、前記第２電力量データ、前記第３電力量データ及び前記第４電力量データの少なくとも一つに基づいて電力をモニタリングするサーバを含む。
【００１１】
一方、本発明の他の実施形態に係る、外部電力供給源、エネルギー貯蔵装置、新再生エネルギー源及び分電盤を含む電力モニタリングシステムは、電力を印加する外部電力供給源、前記外部電力供給源から印加された電力を前記エネルギー貯蔵装置及び負荷の少なくとも一つに分配する分電盤、電力を生成し、前記生成された電力を前記エネルギー貯蔵装置に印加する新再生エネルギー源、前記外部電力供給源から印加される電力及び前記新再生エネルギー源から印加される電力の少なくとも一つを貯蔵し、前記貯蔵された電力を前記分電盤を通して前記負荷に印加するエネルギー貯蔵装置、前記外部電力供給源から印加される第１電力量データを取得する第１電力測定装置；
前記負荷及び前記エネルギー貯蔵装置の少なくとも一つに分配される第２電力量データを取得する第２電力測定装置、前記分電盤で分配されて前記エネルギー貯蔵装置に印加される第３電力量データを取得する第３電力測定装置、前記新再生エネルギー源から前記エネルギー貯蔵装置に印加される第４電力量データを取得する第４電力測定装置、及び、前記第１電力量データ、前記第２電力量データ、前記第３電力量データ及び前記第４電力量データの少なくとも一つに基づいて電力をモニタリングするサーバを含む。
【図面の簡単な説明】
【００１２】
【図１】従来の電力モニタリングシステムのブロック構成図である。
【図２】本発明の実施形態に係る電力モニタリングシステムのブロック構成図である。
【図３】エネルギー貯蔵装置がＤＣ充電モードで動作する場合、電力をモニタリングする方法を説明するフローチャートである。
【図４】エネルギー貯蔵装置がＤＣ充電モードで動作する場合、電力をモニタリングする方法を説明するフローチャートである。
【図５】エネルギー貯蔵装置がＡＣ充電モードで動作する場合、電力をモニタリングする方法を説明するフローチャートである。
【図６】エネルギー貯蔵装置がＡＣ充電モードで動作する場合、電力をモニタリングする方法を説明するフローチャートである。
【図７】エネルギー貯蔵装置がＡＣ充電モードで動作する場合、電力をモニタリングする方法を説明するフローチャートである。
【図８】エネルギー貯蔵装置が放電モードで動作する場合、電力をモニタリングする方法を説明するフローチャートである。
【図９】エネルギー貯蔵装置が放電モードで動作する場合、電力をモニタリングする方法を説明するフローチャートである。
【図１０】エネルギー貯蔵装置が放電モードで動作する場合、電力をモニタリングする方法を説明するフローチャートである。
【図１１】本発明の他の実施形態に係る電力モニタリングシステムのブロック構成図である。
【図１２】エネルギー貯蔵装置がＤＣ充電モードで動作する場合、電力をモニタリングする方法を説明するフローチャートである。
【図１３】エネルギー貯蔵装置がＤＣ充電モードで動作する場合、電力をモニタリングする方法を説明するフローチャートである。
【図１４】エネルギー貯蔵装置がＡＣ充電モードで動作する場合、電力をモニタリングする方法を説明するフローチャートである。
【図１５】エネルギー貯蔵装置がＡＣ充電モードで動作する場合、電力をモニタリングする方法を説明するフローチャートである。
【図１６】エネルギー貯蔵装置がＡＣ充電モードで動作する場合、電力をモニタリングする方法を説明するフローチャートである。
【図１７】エネルギー貯蔵装置が放電モードで動作する場合、電力をモニタリングする方法を説明するフローチャートである。
【図１８】エネルギー貯蔵装置が放電モードで動作する場合、電力をモニタリングする方法を説明するフローチャートである。
【図１９】エネルギー貯蔵装置が放電モードで動作する場合、電力をモニタリングする方法を説明するフローチャートである。
【図２０】本発明の実施形態に係るモニタリングサーバのブロック構成図である。
【図２１】本発明の実施形態に係る電力モニタリング結果の出力動作のフローチャートである。
【図２２】本発明の実施形態に係る電力モニタリング結果の出力例示図である。
【発明を実施するための形態】
【００１３】
以下においては、添付の図面を参照し、本発明の好ましい実施形態に係る電力モニタリングシステム及びその電力モニタリング方法について詳細に説明する。
【００１４】
図２は、本発明の第一実施形態に係る電力モニタリングシステムのブロック構成図である。
【００１５】
図２を参照すると、本発明の一実施形態に係る電力モニタリングシステムは、モニタリングサーバ１０（サーバの一例）、外部電力供給源１１０、分電盤１２０、負荷１３０、エネルギー貯蔵装置１４０（ＥＳＳ：Ｅｎｅｒｇｙ  Ｓｔｏｒａｇｅ  Ｓｙｓｔｅｍ）及び新再生エネルギー源１５０を含む。特に、外部電力供給源１１０、分電盤１２０、エネルギー貯蔵装置１４０及び新再生エネルギー源１５０の出力端または入力端には、前記装置に流入または出力される電力量データを取得するための電力測定装置１７１、１７２、１７３、１７４を含んで構成することができる。
【００１６】
一方、以下の発明の説明においては、負荷１３０が電子機器であると説明するが、これに限定されず、電力の供給を受けて消費できる全ての装置を意味し得る。
【００１７】
本発明の実施形態においては、新再生エネルギー源１５０を太陽光発電装置であると例を挙げて説明する。ただし、これに限定されず、新再生エネルギー源は、電力を生産して放電できる全ての装置であってよい。
【００１８】
モニタリングサーバ１０は、電力測定装置１７１、１７２、１７３、１７４から測定された負荷及び電力源の電力消費量、流入量または電力消費パターンを含む電力量データを取得することができる。そして、モニタリングサーバ１０は、取得されたデータに基づいてシステム全体の供給電力、システム全体の消費電力、システム内の個別負荷の消費電力及び動作状態をモニタリングし、出力することができる。
【００１９】
図２０は、本発明の実施形態に係るモニタリングサーバ１０のブロック構成図である。
【００２０】
図２０を参照すると、本発明の実施形態に係るモニタリングサーバ１０は、通信部１１、制御部１２、格納部１３及び出力部１４を含んで構成することができる。
【００２１】
通信部１１は、電力測定装置１７１、１７２、１７３、１７４または外部装置の間を無線または有線通信が可能となるようにするための一つ以上のモジュールを含むことができる。
【００２２】
通信部１１は、ＷＬＡＮ（Ｗｉｒｅｌｅｓｓ  ＬＡＮ）（Ｗｉ−Ｆｉ）、Ｗｉｂｒｏ（Ｗｉｒｅｌｅｓｓ  ｂｒｏａｄｂａｎｄ）（登録商標）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）（登録商標）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）が利用される無線インターネットモジュール等、様々な形態で構成することができる。また、通信部１１は、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ＺｉｇＢｅｅ（登録商標）が利用される近距離通信モジュール、有線通信モジュール等、様々な形態で構成することができる。通信部１１は、電力測定装置１７１、１７２、１７３、１７４の少なくとも一つから電力量データを受信することができる。
【００２３】
ここで、電力量データは、電力流入量、電力消費量、電力消費パターン及び個別負荷の電力消費パターンを含むことができる。
【００２４】
制御部１２は、通信部１１を通して受信される電力測定装置１７１、１７２、１７３、１７４の電力量データを利用してシステムの電力をモニタリングすることができる。
【００２５】
具体的に、制御部１２は、電力測定装置１７１、１７２、１７３、１７４から受信した電力量データを利用して電力流入量、電力消費量及び電力消費パターンの少なくとも一つを獲得することができる。
【００２６】
また、制御部１２は、受信した電力量データから個別負荷の電力消費パターンを抽出し、抽出された個別負荷の電力消費パターンを利用して個別負荷の動作状態及び消費電力量を獲得することができる。
【００２７】
一方、制御部１２は、ＮＩＬＭ（Ｎｏｎ−ｉｎｔｒｕｓｉｖｅ  Ｌｏａｄ  Ｍｏｎｉｔｏｒｉｎｇ）アルゴリズムを利用して電力消費パターンを分析することができる。具体的に、制御部１２は、電力測定装置１７１、１７２、１７３、１７４から電力量データを受信すると、受信した電力量データをＮＩＬＭ（Ｎｏｎ−ｉｎｔｒｕｓｉｖｅ  Ｌｏａｄ  Ｍｏｎｉｔｏｒｉｎｇ）アルゴリズムを利用して分析することにより、電力流入量、電力消費量、電力消費パターン、個別負荷の動作状態及び個別負荷の消費電力量の少なくとも一つを獲得することができる。ここで、ＮＩＬＭ（Ｎｏｎ−ｉｎｔｒｕｓｉｖｅ  Ｌｏａｄ  Ｍｏｎｉｔｏｒｉｎｇ）アルゴリズムとは、電力が供給される特定箇所で測定されたデータを利用して特定箇所に連結された個別負荷の電力消耗量を測定することができるアルゴリズムを意味する。
【００２８】
また、制御部１２は、受信した電力量データ、受信した電力量データを分析して獲得した結果及び該当電力測定装置に対する情報を格納部１３に格納するか、または出力部１４を利用して出力することができる。
【００２９】
格納部１３は、制御部１２で実行される電力使用パターン分析のためのアルゴリズムを格納することができる。格納部１３の例としては、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤまたはＸＤメモリ等）、ラム（Ｒａｎｄｏｍ  Ａｃｃｅｓｓ  Ｍｅｍｏｒｙ、ＲＡＭ）、ＳＲＡＭ（Ｓｔａｔｉｃ  Ｒａｎｄｏｍ  Ａｃｃｅｓｓ  Ｍｅｍｏｒｙ）、ロム（Ｒｅａｄ−Ｏｎｌｙ  Ｍｅｍｏｒｙ、ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリ、磁気ディスク、光ディスクの少なくとも一つのタイプの記憶媒体を含むことができる。
【００３０】
出力部１４は、制御部１２の制御に基づいて電力量データの分析結果を映像またはオーディオ等の様々な形態で出力することができる。出力部１４の例としては、ディスプレイ部、音響出力部等が含まれ得る。
【００３１】
その他にも、使用者入力部（図示しない）を構成することができ、前記使用者入力部の入力に基づいてモニタリングサーバ１０を制御するか、または電力流入量、電力消費量、電力消費パターン、個別負荷の動作状態及び個別負荷の消費電力量の少なくとも一つを出力することができる。
【００３２】
また図２に戻り、本発明の実施形態に係る、電力モニタリングシステムは、外部電力供給源１１０、分電盤１２０、電子機器１３０、エネルギー貯蔵装置１４０（ＥＳＳ：Ｅｎｅｒｇｙ  Ｓｔｏｒａｇｅ  Ｓｙｓｔｅｍ）及び新再生エネルギー源１５０を含むことができる。
【００３３】
外部電力供給源１１０は、発電所のような外部電力発電源であって、前記外部電力供給源１１０から流入する電力は、分電盤１２０を通して宅内電子機器１３０を含む様々な負荷に供給することができる。また、外部電力供給源１１０から流入する電力は、エネルギー貯蔵装置１４０に印加され、エネルギー貯蔵装置１４０を充電するのに使われ得る。
【００３４】
分電盤１２０は、外部電力供給源１１０やエネルギー貯蔵装置１４０から印加される電力を宅内電子機器１３０のような様々な負荷に印加されるように分配することができる。
【００３５】
エネルギー貯蔵装置１４０（ＥＳＳ：Ｅｎｅｒｇｙ  Ｓｔｏｒａｇｅ  Ｓｙｓｔｅｍ）は、外部電力供給源１１０から流入する電力を貯蔵するか、または新再生エネルギー源１５０から印加される電力を貯蔵する。そして、一定時点（または、使用者要請時点）に貯蔵された電力を分電盤１２０を通して電子機器１３０に印加されるようにすることができる。例えば、深夜時間のように電力消費が少ないか、または電力使用料金が安価な時間帯にエネルギー貯蔵装置１４０に電力を貯蔵し、電力需要量が急増するか、または電力使用料金が高い時間帯に貯蔵された電力を電子機器１３０に放電できる。
【００３６】
新再生エネルギー源１５０は、太陽光発電装置で構成され、太陽光発電装置は、太陽光発電装置に入射する太陽光を電力に変換し、エネルギー貯蔵装置１４０に変換された電力を印加することができる。
【００３７】
外部電力供給源１１０の出力端、分電盤１２０の入力端、エネルギー貯蔵装置１４０の入力端及び新再生エネルギー源１５０の出力端には、それぞれ電力測定装置１７１、１７２、１７３、１７４を連結して構成することができる。
外部電力供給源１１０の出力端に連結される第１電力測定装置１７１は、外部電力供給源１１０から供給される電力量を測定できる少なくとも一つのモジュールで構成することができる。
【００３８】
また、第１電力測定装置１７１は、外部電力供給源１１０から流入する電力を電子機器１３０のような複数の負荷やエネルギー貯蔵装置１４０に供給する場合、複数の負荷及びエネルギー貯蔵装置１４０での全体消費電力量及び全体電力の消費パターンを測定できる少なくとも一つのモジュールで構成することができる。
【００３９】
また、第１電力測定装置１７１は、複数の負荷それぞれの電力の消費パターン、そしてエネルギー貯蔵装置１４０の消費パターンを測定することができる。このような電力の消費パターンは、以後、ＮＩＬＭ（Ｎｏｎ−ｉｎｔｒｕｓｉｖｅ  Ｌｏａｄ  Ｍｏｎｉｔｏｒｉｎｇ）アルゴリズムを利用して分析されることで、複数の負荷それぞれが消費する電力量、複数の負荷それぞれの動作状態情報、エネルギー貯蔵装置１４０が消費する電力量及びエネルギー貯蔵装置１４０の動作状態情報の少なくとも一つを獲得するのに用いられ得る。
【００４０】
分電盤１２０の入力端に連結される第２電力測定装置１７２は、外部電力供給源１１０から流入する電力及びエネルギー貯蔵装置１４０から流入する電力の少なくとも一つを宅内電子機器１３０のような複数の負荷に供給する場合、複数の負荷での全体消費電力量を測定できる少なくとも一つのモジュールで構成することができる。具体的に、第２電力測定装置１７２は、分電盤１２０の入力端に連結され、分電盤１２０から宅内の電子機器１３０に分配される第２電力量データを取得することができる。
【００４１】
また、第２電力測定装置１７２は、複数の負荷それぞれの電力の消費パターンを測定することができる。このような複数の負荷それぞれの電力の消費パターンは、以後、ＮＩＬＭ（Ｎｏｎ−ｉｎｔｒｕｓｉｖｅ  Ｌｏａｄ  Ｍｏｎｉｔｏｒｉｎｇ）アルゴリズムを利用して分析されることで、複数の負荷それぞれが消費する電力量、複数の負荷それぞれの動作状態情報及び複数の負荷それぞれの電力消費パターン情報の少なくとも一つを獲得するのに用いられ得る。
また、エネルギー貯蔵装置１４０の入力端に連結される第３電力測定装置１７３は、エネルギー貯蔵装置１４０に貯蔵される電力量やエネルギー貯蔵装置１４０で放電する電力量を測定できる少なくとも一つのモジュールで構成することができる。
【００４２】
また、第３電力測定装置１７３は、エネルギー貯蔵装置１４０の電力の消費パターンを測定できる少なくとも一つのモジュールで構成することができる。このようなエネルギー貯蔵装置１４０の電力の消費パターンは、以後、ＮＩＬＭ（Ｎｏｎ−ｉｎｔｒｕｓｉｖｅ  Ｌｏａｄ  Ｍｏｎｉｔｏｒｉｎｇ）アルゴリズムを利用して分析されることで、エネルギー貯蔵装置１４０に貯蔵されるか、またはエネルギー貯蔵装置１４０で放電する電力量、エネルギー貯蔵装置１４０の動作状態情報の少なくとも一つを獲得するために用いられ得る。
【００４３】
一方、新再生エネルギー源１５０の出力端に連結される第４電力測定装置１７４は、新再生エネルギー源１５０で発電する電力に対する電力量データを測定できる少なくとも一つのモジュールで構成されている。具体的に、第４電力測定装置１７４は、新再生エネルギー源１５０とエネルギー貯蔵装置１４０が連結される箇所に設けられ、新再生エネルギー源１５０からエネルギー貯蔵装置１４０に印加される電力量データを確認することができる。
【００４４】
上述したような電力測定装置１７１、１７２、１７３、１７４を含む電力モニタリングシステムの構成に基づいて、図３乃至図１０を参照し、一実施形態に係る負荷電力モニタリング方法について詳細に説明する。以下のモニタリング方法は、データが収集される順序を限定して説明したが、これは、データ収集順序と関係なく各電力測定装置１７１、１７２、１７３、１７４からデータを収集することができる。
【００４５】
図３乃至図１０は、本発明の実施形態に係る電力モニタリングシステムの電力モニタリング方法を説明するためのフローチャートである。
【００４６】
図３は、エネルギー貯蔵装置１４０がＤＣ充電モードで動作する場合、モニタリングサーバ１０において第１電力測定装置１７１で取得された第１電力量データ及び第４電力測定装置１７４で取得された第４電力量データを利用して電力をモニタリングする方法を説明するフローチャートである。
【００４７】
ここで、ＤＣ充電モードとは、エネルギー貯蔵装置１４０が外部電力供給源１１０から印加される電力は貯蔵せず、新再生エネルギー源１５０から印加されるＤＣ電力だけを貯蔵するモードであってよい。
【００４８】
図３を参照すると、モニタリングサーバ１０は、通信部１１を通して電力量データを収集することができる（Ｓ３１０）。具体的に、モニタリングサーバ１０は、外部電力供給源１１０の出力端に構成される第１電力測定装置１７１から第１電力量データを、新再生エネルギー源１５０の出力端に構成される第４電力測定装置１７４から第４電力量データを受信することができる。
【００４９】
一方、図２では、分電盤１２０の入力端に第２電力測定装置１７２を、エネルギー貯蔵装置１４０の入力端に第３電力測定装置１７３を構成することを例に挙げて説明した。一方、第２電力測定装置１７２の第２電力量データ及び第３電力測定装置１７３の第３電力量データは、第１電力量データ及び第４電力量データにより推定され得、本実施形態においては、第２、第３電力量データを利用しなくても電力をモニタリングすることができる。
【００５０】
モニタリングサーバ１０の制御部１２は、通信部１１を通して収集された第１電力測定装置１７１の第１電力量データを分析することができる（Ｓ３２０）。
【００５１】
この場合、第１電力量データには、外部電力供給源１１０から印加された電力量に対する情報が含まれ得る。
【００５２】
また、第１電力量データは、複数の電子機器１３０の総電力消費量及び総電力消費パターンを含むことができる。また、第１電力量データは、複数の電子機器１３０を構成する個別電子機器の電力消費パターンを含むことができる。
モニタリングサーバ１０の制御部１２は、通信部１１を通して収集された第４電力測定装置１７４の第４電力量データを分析することができる（Ｓ３３０）。
【００５３】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【００５４】
モニタリングサーバ１０の制御部１２は、第１電力測定装置１７１で取得された第１電力量データ及び第４電力測定装置１７４で取得された第４電力量データに基づいて第２電力量データ及び第３電力量データを推定し、システムの電力をモニタリングすることができる（Ｓ３４０）。
【００５５】
具体的に、制御部１２は、第１電力測定装置１７１で取得された第１電力量データを利用して外部電力供給源１１０から印加される電力量を獲得することができる。また、制御部１２は、第１電力測定装置１７１で取得された第１電力量データを利用して、複数の電子機器１３０を構成する個別電子機器の消費電力量及び個別電子機器の動作状態情報の少なくとも一つを獲得することができる。また、制御部１２は、第４電力測定装置１７４で取得された第４電力量データを利用して、新再生エネルギー源１５０から印加されてエネルギー貯蔵装置１４０に貯蔵される充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【００５６】
一方、モニタリングサーバ１０の制御部１２は、第１電力測定装置１７１で取得された第１電力量データ及び第４電力測定装置１７４で取得された第２電力量データを利用して、第２電力量データ及び第３電力量データの少なくとも一つを推定することができる。具体的には、エネルギー貯蔵装置１４０がＤＣ充電モードである場合、エネルギー貯蔵装置１４０は、外部電力供給源１１０から何らの電力の供給を受けず、分電盤１２０に電力を放電することもない。従って、制御部１２は、第２電力量データが第１電力量データと同一のものであり、第３電力量データには、電力の流れがないものと推定することができる。
一方、モニタリングサーバ１０は、第１電力量データ、第４電力量データ及び第１電力量データ、第４電力量データを利用して推定した他の電力量データを利用してシステム全体の電力をモニタリングすることができる。
【００５７】
一方、制御部１２は、モニタリング結果を格納部１３に格納することができる（Ｓ３５０）。
【００５８】
図４は、エネルギー貯蔵装置１４０がＤＣ充電モードで動作する場合、モニタリングサーバ１０によって第２電力測定装置１７２で取得された第２電力量データ及び第４電力測定装置１７４で取得された第４電力量データを利用して電力をモニタリングする方法を説明するフローチャートである。
【００５９】
一方、ＤＣ充電モードでは、エネルギー貯蔵装置１４０は、外部電力供給源１１０から何らの電力の供給を受けず、分電盤１２０に電力を放電することもない。従って、第２電力量データは、第１電力量データと同一であり、図３において説明した第１、第４電力量データを利用してシステム全体の電力をモニタリングする方法が、図４における第２、第４電力量データを利用してシステム全体の電力をモニタリングする方法にそのまま適用することができる。
【００６０】
一方、エネルギー貯蔵装置１４０がＡＣ充電モードで動作する場合、モニタリングサーバ１０で電力をモニタリングする方法を図５乃至図７を参照して説明する。
【００６１】
図５は、エネルギー貯蔵装置１４０がＡＣ充電モードで動作する場合、モニタリングサーバ１０において第１電力測定装置１７１で取得された第１電力量データ、第２電力測定装置１７２で取得された第２電力量データ及び第４電力測定装置１７４で取得された第４電力量データを利用して電力をモニタリングする方法を説明するためのフローチャートである。
【００６２】
ここで、ＡＣ充電モードとは、エネルギー貯蔵装置１４０が新再生エネルギー源１５０から印加されるＤＣ電力を貯蔵すると共に、外部電力供給源１１０から印加されるＡＣ電力を貯蔵するモードであってよい。
【００６３】
図５を参照すると、モニタリングサーバ１０は、通信部１１を通して電力量データを収集することができる（Ｓ５１０）。具体的に、モニタリングサーバ１０は、外部電力供給源１１０の出力端に構成される第１電力測定装置１７１、分電盤１２０の入力端に構成される第２電力測定装置１７２、及び新再生エネルギー源１５０の出力端に構成される第４電力測定装置１７４から電力量データを受信することができる。
【００６４】
一方、図２においては、エネルギー貯蔵装置１４０の入力端に第３電力測定装置１７３を構成することを例に挙げて説明した。一方、第３電力測定装置１７３の第３電力量データは、第１電力量データ、第２電力量データ及び第４電力量データにより推定され得、本実施形態においては、第３電力量データを利用しなくても電力をモニタリングすることができる。
【００６５】
モニタリングサーバ１０の制御部１２は、通信部１１を通して収集された第１電力測定装置１７１の第１電力量データを分析することができる（Ｓ５２０）。
【００６６】
この場合、第１電力量データは、外部電力供給源１１０から印加された電力量に対する情報が含まれ得る。言い換えれば、第１電力量データは、エネルギー貯蔵装置１４０と複数の電子機器１３０で消費される総消費電力量に対する情報を含むことができる。
【００６７】
モニタリングサーバ１０の制御部１２は、通信部１１を通して収集された第２電力測定装置１７２の第２電力量データを分析することができる（Ｓ５３０）。
【００６８】
一方、第２電力量データは、複数の電子機器１３０の総電力消費量、総電力消費パターンを含むことができる。また、第２電力量データは、複数の電子機器１３０を構成する個別電子機器の電力消費パターンを含むことができる。
【００６９】
モニタリングサーバ１０の制御部１２は、通信部１１を通して収集された第４電力測定装置１７４の第４電力量データを分析することができる（Ｓ５４０）。
【００７０】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【００７１】
モニタリングサーバ１０の制御部１２は、第１電力測定装置１７１で取得された第１電力量データ、第２電力測定装置１７２で取得された第２電力量データ及び第４電力測定装置１７４で取得された第４電力量データに基づいて第３電力量データを推定し、システムの電力をモニタリングすることができる（Ｓ５５０）。
【００７２】
具体的に、制御部１２は、第１電力測定装置１７１で取得された第１電力量データを利用して外部電力供給源１１０から印加される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【００７３】
また、制御部１２は、第１電力量データ及び第２電力量データを利用して第３電力量データを推定することで、エネルギー貯蔵装置１４０のＡＣ充電量を獲得することができる。具体的に、制御部１２は、第１電力量データに含まれた外部電力供給源１１０から印加される電力量から第２電力量データに含まれた複数の電子機器１３０の総電力消費量を引く（−）ことで、エネルギー貯蔵装置１４０のＡＣ充電量を獲得することができる。
【００７４】
一方、制御部１２は、モニタリング結果及びエネルギー貯蔵装置１４０の動作状態情報を格納部１３に格納することができる（Ｓ５６０）。
【００７５】
図６は、エネルギー貯蔵装置１４０がＡＣ充電モードで動作する場合、モニタリングサーバ１０において第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【００７６】
図６を参照すると、モニタリングサーバ１０は、通信部１１を通して電力量データを収集することができる（Ｓ６１０）。具体的に、モニタリングサーバ１０は、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【００７７】
一方、図２においては、外部電力供給源１１０の出力端に第１電力測定装置１７１を構成することを例に挙げて説明した。一方、第１電力測定装置１７１の第１電力量データは、第２電力量データ、第３電力量データ及び第４電力量データにより推定され得、本実施形態においては、第１電力量データを利用しなくても電力をモニタリングすることができる。
【００７８】
モニタリングサーバ１０の制御部１２は、通信部１１を通して収集された第２電力測定装置１７２の第２電力量データを分析することができる（Ｓ６２０）。
【００７９】
この場合、第２電力量データは、複数の電子機器１３０の総電力消費量、総電力消費パターンを含むことができる。また、第２電力量データは、複数の電子機器１３０を構成する個別電子機器の電力消費パターンを含むことができる。
モニタリングサーバ１０の制御部１２は、通信部１１を通して収集された第３電力測定装置１７３の第３電力量データを分析することができる（Ｓ６３０）。
【００８０】
この場合、第３電力量データは、外部電力供給源１１０から供給されてエネルギー貯蔵装置１４０に印加される交流電力量に対する情報を含むことができる。
【００８１】
モニタリングサーバ１０の制御部１２は、通信部１１を通して収集された第４電力測定装置１７４の第４電力量データを分析することができる（Ｓ６４０）。
【００８２】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【００８３】
モニタリングサーバ１０の制御部１２は、第２電力測定装置１７２で取得された第２電力量データ、第３電力測定装置１７３で取得された第３電力量データ及び第４電力測定装置１７４で取得された第４電力量データに基づいて第１電力量データを推定し、システムの電力をモニタリングすることができる（Ｓ６５０）。
【００８４】
具体的に、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、外部電力供給源１１０から供給されてエネルギー貯蔵装置１４０に印加されることで、エネルギー貯蔵装置１４０で充電されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【００８５】
また、制御部１２は、第２電力量データ及び第３電力量データを利用して第１電力量データを推定することで、外部電力供給源１１０から印加される電力量を獲得することができる。具体的に、制御部１２は、第２電力量データに含まれた複数の電子機器１３０の総消費電力量と第３電力量データに含まれたエネルギー貯蔵装置１４０に充電される交流電力量を足す（＋）ことで、外部電力供給源１１０から印加される電力量を獲得することができる。
【００８６】
一方、制御部１２は、モニタリング結果及びエネルギー貯蔵装置１４０の動作状態情報を格納部１３に格納することができる（Ｓ６６０）。
【００８７】
図７は、エネルギー貯蔵装置１４０がＡＣ充電モードで動作する場合、モニタリングサーバ１０において第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【００８８】
図７を参照すると、モニタリングサーバ１０は、通信部１１を通して電力量データを収集することができる（Ｓ７１０）。具体的に、モニタリングサーバ１０は、外部電力供給源１１０の出力端に構成される第１電力測定装置１７１、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【００８９】
モニタリングサーバ１０の制御部１２は、通信部１１を通して収集された第１電力測定装置１７１の第１電力量データを分析することができる（Ｓ７２０）。
【００９０】
この場合、第１電力量データは、外部電力供給源１１０から印加された電力量に対する情報が含まれ得る。言い換えれば、第１電力量データは、エネルギー貯蔵装置１４０と複数の電子機器１３０で消費される総消費電力量に対する情報を含むことができる。
【００９１】
モニタリングサーバ１０の制御部１２は、通信部１１を通して収集された第２電力測定装置１７２の第２電力量データを分析することができる（Ｓ７３０）。
【００９２】
この場合、第２電力量データは、複数の電子機器１３０の総電力消費量、総電力消費パターンを含むことができる。また、第２電力量データは、複数の電子機器１３０を構成する個別電子機器の電力消費パターンを含むことができる。
モニタリングサーバ１０の制御部１２は、通信部１１を通して収集された第３電力測定装置１７３の第３電力量データを分析することができる（Ｓ７４０）。
【００９３】
この場合、第３電力量データは、外部電力供給源１１０から供給されてエネルギー貯蔵装置１４０に印加される交流電力量に対する情報を含むことができる。
【００９４】
モニタリングサーバ１０の制御部１２は、通信部１１を通して収集された第４電力測定装置１７４の第４電力量データを分析することができる（Ｓ７５０）。
【００９５】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【００９６】
モニタリングサーバ１０の制御部１２は、第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データに基づいてシステムの電力をモニタリングすることができる（Ｓ７６０）。
【００９７】
具体的に、制御部１２は、第１電力測定装置１７１で取得された第１電力量データを利用して、外部電力供給源１１０から供給される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、外部電力供給源１１０から供給されてエネルギー貯蔵装置１４０に印加されることによりエネルギー貯蔵装置１４０で充電されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【００９８】
一方、制御部１２は、モニタリング結果及びエネルギー貯蔵装置１４０の動作状態情報を格納部１３に格納することができる（Ｓ７７０）。
【００９９】
一方、エネルギー貯蔵装置１４０が放電モード（発電源）で動作する場合、モニタリングサーバ１０で電力をモニタリングする方法を図８乃至図１０を参照して説明する。
【０１００】
図８は、エネルギー貯蔵装置１４０が放電モード（発電源）で動作する場合、モニタリングサーバ１０において第１電力測定装置１７１で取得された第１電力量データ、第２電力測定装置１７２で取得された第２電力量データ及び第４電力測定装置１７４で取得された第４電力量データを利用して電力をモニタリングする方法を説明するためのフローチャートである。
【０１０１】
図８を参照すると、モニタリングサーバ１０は、通信部１１を通して電力量データを収集することができる（Ｓ８１０）。具体的に、モニタリングサーバ１０は、外部電力供給源１１０の出力端に構成される第１電力測定装置１７１、分電盤１２０の入力端に構成される第２電力測定装置１７２及び新再生エネルギー源１５０の出力端に構成される第４電力測定装置１７４から電力量データを受信することができる。
【０１０２】
一方、図２においては、エネルギー貯蔵装置１４０の入力端に第３電力測定装置１７３を構成することを例に挙げて説明したが、第３電力測定装置１７３の第３電力量データは、第１電力量データ、第２電力量データ及び第４電力量データにより推定され得、本実施形態においては、第３電力量データを利用しなくても電力をモニタリングすることができる。
【０１０３】
モニタリングサーバ１０の制御部１２は、通信部１１を通して収集された第１電力測定装置１７１の第１電力量データを分析することができる（Ｓ８２０）。
【０１０４】
この場合、第１電力量データは、外部電力供給源１１０から印加された電力量に対する情報が含まれ得る。
【０１０５】
モニタリングサーバ１０の制御部１２は、通信部１１を通して収集された第２電力測定装置１７２の第２電力量データを分析することができる（Ｓ８３０）。
【０１０６】
一方、第２電力量データは、複数の電子機器１３０の総電力消費量、総電力消費パターンを含むことができる。また、第２電力量データは、複数の電子機器１３０を構成する個別電子機器の電力消費パターンを含むことができる。
【０１０７】
モニタリングサーバ１０の制御部１２は、通信部１１を通して収集された第４電力測定装置１７４の第４電力量データを分析することができる（Ｓ８４０）。
【０１０８】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０１０９】
モニタリングサーバ１０の制御部１２は、第１電力測定装置１７１で取得された第１電力量データ、第２電力測定装置１７２で取得された第２電力量データ及び第４電力測定装置１７４で取得された第４電力量データに基づいて第３電力量データを推定し、システムの電力をモニタリングすることができる（Ｓ８５０）。
【０１１０】
具体的に、制御部１２は、第１電力測定装置１７１で取得された第１電力量データを利用して外部電力供給源１１０から印加される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０１１１】
また、制御部１２は、第１電力量データ及び第２電力量データを利用して第３電力量データを推定することで、エネルギー貯蔵装置１４０のＡＣ放電量を獲得することができる。具体的に、制御部１２は、第２電力量データに含まれた複数の電子機器１３０の総電力消費量から第１電力量データに含まれた外部電力供給源１１０から印加される電力量を引く（−）ことで、エネルギー貯蔵装置１４０のＡＣ放電量を獲得することができる。
【０１１２】
一方、制御部１２は、モニタリング結果及びエネルギー貯蔵装置１４０の動作状態情報を格納部１３に格納することができる（Ｓ８６０）。
【０１１３】
図９は、エネルギー貯蔵装置１４０が放電モード（発電源）で動作する場合、モニタリングサーバ１０において第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【０１１４】
図９を参照すると、モニタリングサーバ１０は、通信部１１を通して電力量データを収集することができる（Ｓ９１０）。具体的に、モニタリングサーバ１０は、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【０１１５】
一方、図９においては、外部電力供給源１１０の出力端に第１電力測定装置１７１を構成することを例に挙げて説明したが、第１電力測定装置１７１の第１電力量データは、第２電力量データ、第３電力量データ及び第４電力量データにより推定され得、本実施形態においては、第１電力量データを利用しなくても電力をモニタリングすることができる。
【０１１６】
モニタリングサーバ１０の制御部１２は、通信部１１を通して収集された第２電力測定装置１７２の第２電力量データを分析することができる（Ｓ９２０）。
【０１１７】
この場合、第２電力量データは、複数の電子機器１３０の総電力消費量、総電力消費パターンを含むことができる。また、第２電力量データは、複数の電子機器１３０を構成する個別電子機器の電力消費パターンを含むことができる。
【０１１８】
モニタリングサーバ１０の制御部１２は、通信部１１を通して収集された第３電力測定装置１７３の第３電力量データを分析することができる（Ｓ９３０）。
【０１１９】
この場合、第３電力量データは、外部電力供給源１１０から供給されてエネルギー貯蔵装置１４０に印加される交流電力量に対する情報を含むことができる。逆に説明すると、第３電力量データは、エネルギー貯蔵装置１４０で放電されて分電盤１２０に印加される交流電力量に対する情報を含むことができる。
【０１２０】
モニタリングサーバ１０の制御部１２は、通信部１１を通して収集された第４電力測定装置１７４の第４電力量データを分析することができる（Ｓ９４０）。
【０１２１】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０１２２】
モニタリングサーバ１０の制御部１２は、第２電力測定装置１７２で取得された第２電力量データ、第３電力測定装置１７３で取得された第３電力量データ及び第４電力測定装置１７４で取得された第４電力量データに基づいて第１電力量データを推定し、システムの電力をモニタリングすることができる（Ｓ９５０）。
【０１２３】
具体的に、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、エネルギー貯蔵装置１４０で放電されて分電盤１２０に印加されることで、電子機器１３０に供給されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０１２４】
また、制御部１２は、第２電力量データ及び第３電力量データを利用して第１電力量データを推定することで、外部電力供給源１１０から印加される電力量を獲得することができる。具体的に、制御部１２は、第２電力量データに含まれた複数の電子機器１３０の総消費電力量からエネルギー貯蔵装置１４０で放電する交流電力量を引く（−）ことで、外部電力供給源１１０から印加される電力量を獲得することができる。
【０１２５】
一方、制御部１２は、モニタリング結果及びエネルギー貯蔵装置１４０の動作状態情報を格納部１３に格納することができる（Ｓ９６０）。
図１０は、エネルギー貯蔵装置１４０が放電モード（発電源）で動作する場合、モニタリングサーバ１０において第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【０１２６】
図１０を参照すると、モニタリングサーバ１０は、通信部１１を通して電力量データを収集することができる（Ｓ１０１０）。具体的に、モニタリングサーバ１０は、外部電力供給源１１０の出力端に構成される第１電力測定装置１７１、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【０１２７】
モニタリングサーバ１０の制御部１２は、通信部１１を通して収集された第１電力測定装置１７１の第１電力量データを分析することができる（Ｓ１０２０）。
【０１２８】
この場合、第１電力量データは、外部電力供給源１１０から印加された電力量に対する情報が含まれ得る。
【０１２９】
モニタリングサーバ１０の制御部１２は、通信部１１を通して収集された第２電力測定装置１７２の第２電力量データを分析することができる（Ｓ１０３０）。
【０１３０】
この場合、第２電力量データは、複数の電子機器１３０の総電力消費量、総電力消費パターンを含むことができる。また、第２電力量データは、複数の電子機器１３０を構成する個別電子機器の電力消費パターンを含むことができる。
【０１３１】
モニタリングサーバ１０の制御部１２は、通信部１１を通して収集された第３電力測定装置１７３の第３電力量データを分析することができる（Ｓ１０４０）。
【０１３２】
この場合、第３電力量データは、外部電力供給源１１０から供給されてエネルギー貯蔵装置１４０に印加される交流電力量に対する情報を含むことができる。逆に説明すると、第３電力量データは、エネルギー貯蔵装置１４０で放電されて分電盤１２０に印加される交流電力量に対する情報を含むことができる。
モニタリングサーバ１０の制御部１２は、通信部１１を通して収集された第４電力測定装置１７４の第４電力量データを分析することができる（Ｓ１０５０）。
【０１３３】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０１３４】
モニタリングサーバ１０の制御部１２は、第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データに基づいてシステムの電力をモニタリングすることができる（Ｓ１０６０）。
【０１３５】
具体的に、制御部１２は、第１電力測定装置１７１で取得された第１電力量データを利用して、外部電力供給源１１０から供給される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、エネルギー貯蔵装置１４０で放電されて分電盤１２０に印加されることで、電子機器１３０に供給されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０１３６】
一方、制御部１２は、モニタリング結果及びエネルギー貯蔵装置１４０の動作状態情報を格納部１３に格納することができる（Ｓ１０７０）。
【０１３７】
このように、本実施形態は、第１電力測定装置１７１、第２電力測定装置１７２、第３電力測定装置１７３及び第４電力測定装置１７４を利用して外部電力供給源１１０からの供給電力量、エネルギー貯蔵装置１４０の充電量及び放電量、新再生エネルギー源１５０の放電量、複数の電子機器１３０の総電力消費量、個別電子機器が消費する電力量、個別電子機器の動作状態情報等を全て把握することができるので、電力の生産及び消費に対する総合的なモニタリングを可能とする。
【０１３８】
また、本実施形態は、第１電力測定装置１７１、第２電力測定装置１７２及び第３電力測定装置１７３の一つ以上が存在しなくても、外部電力供給源１１０からの供給電力量やエネルギー貯蔵装置１４０で使用される電力量に対する推定が可能である。従って、複数の電力測定装置のいずれか一つの故障や修理に関係なく電力の生産及び消費に対する総合的なモニタリングが可能となる。
【０１３９】
また、本実施形態は、第１電力測定装置１７１、第２電力測定装置１７２、第３電力測定装置１７３及び第４電力測定装置１７４を全て利用することで、誤差を最小化してシステム内の電力をモニタリングすることができる。
【０１４０】
図１１は、本発明の他の実施形態に係る電力モニタリングシステムのブロック構成図である。
【０１４１】
図１１を参照すると、本発明の他の実施形態に係る電力モニタリングシステムは、モニタリングサーバ１０、外部電力供給源１１０、分電盤１２０、電子機器１３０及びエネルギー貯蔵装置１４０並びに新再生エネルギー源１５０を含む。特に、外部電力供給源１１０、分電盤１２０、エネルギー貯蔵装置１４０及び新再生エネルギー源１５０の出力端または入力端には、前記装置に流入または出力される電力量データを取得するための電力測定装置１７１、１７２、１７３、１７４を含んで構成することができる。
【０１４２】
モニタリングサーバ１０は、前記電力測定装置１７１、１７２、１７３、１７４から測定された負荷及び電力源の電力消費量、流入量または電力消費パターンを含む電力量データを取得することができる。そして、モニタリングサーバ１０は、取得されたデータに基づいてシステム全体の供給電力、システム全体の消費電力、システム内の個別負荷の消費電力及び動作状態をモニタリングし、出力することができる。
【０１４３】
外部電力供給源１１０は、発電所のような外部電力発電源であって、前記外部電力供給源１１０から流入する電力は、分電盤１２０を通して宅内電子機器１３０を含む様々な負荷に供給することができる。また、外部電力供給源１１０から流入する電力は、分電盤１２０を通してエネルギー貯蔵装置１４０に印加され、エネルギー貯蔵装置１４０を充電するのに使用することができる。
【０１４４】
分電盤１２０は、分電盤１２０に流入する電力を宅内電子機器１３０及びエネルギー貯蔵装置１４０の少なくとも一つに印加されるように分配することができる。
【０１４５】
エネルギー貯蔵装置１４０（ＥＳＳ：Ｅｎｅｒｇｙ  Ｓｔｏｒａｇｅ  Ｓｙｓｔｅｍ）は、分電盤１２０の出力端に連結され、分電盤１２０で分配された電力を貯蔵し、貯蔵された電力を一定時点（または、使用者要請時点）に分電盤１２０を通して電子機器１３０に印加されるようにすることができる。例えば、深夜時間のように電力消費が少ないか、または電力使用料金が安価な時間帯にエネルギー貯蔵装置１４０に電力を貯蔵し、電力需要量が急増するか、または電力使用料金が高い時間帯に前記貯蔵された電力を一端に連結される電子機器１３０に放電することができる。
【０１４６】
新再生エネルギー源１５０は、太陽光発電装置で構成され、太陽光発電装置は、太陽光発電装置に入射する太陽光を電力に変換し、エネルギー貯蔵装置１４０に前記変換された電力を印加することができる。
【０１４７】
外部電力供給源１１０の出力端、分電盤１２０の入力端、エネルギー貯蔵装置１４０の入力端及び新再生エネルギー源１５０の出力端には、それぞれ電力測定装置１７１、１７２、１７３、１７４を連結して構成することができる。
外部電力供給源１１０の出力端に連結される第１電力測定装置１７１は、外部電力供給源１１０から供給される電力量を測定できる少なくとも一つのモジュールで構成することができる。
【０１４８】
また、第１電力測定装置１７１は、外部電力供給源１１０から流入する電力を電子機器１３０のような複数の負荷やエネルギー貯蔵装置１４０に供給する場合、複数の負荷及びエネルギー貯蔵装置１４０での全体消費電力量及び全体電力の消費パターンを測定できる少なくとも一つのモジュールで構成することができる。
【０１４９】
また、第１電力測定装置１７１は、複数の負荷それぞれの電力の消費パターン、そしてエネルギー貯蔵装置１４０の消費パターンを測定することができる。このような電力の消費パターンは、以後、ＮＩＬＭ（Ｎｏｎ−ｉｎｔｒｕｓｉｖｅ  Ｌｏａｄ  Ｍｏｎｉｔｏｒｉｎｇ）アルゴリズムを利用して分析されることで、複数の負荷それぞれが消費する電力量、複数の負荷それぞれの動作状態情報、エネルギー貯蔵装置１４０が消費する電力量及びエネルギー貯蔵装置１４０の動作状態情報の少なくとも一つを獲得するのに用いられ得る。
【０１５０】
分電盤１２０の入力端に連結される第２電力測定装置１７２は、外部電力供給源１１０から流入する電力を電子機器１３０のような複数の負荷やエネルギー貯蔵装置１４０に分配する場合、複数の負荷及びエネルギー貯蔵装置１４０での全体消費電力量及び全体電力の消費パターンを測定できる少なくとも一つのモジュールで構成することができる。
【０１５１】
また、第２電力測定装置１７２は、複数の負荷それぞれの電力の消費パターンやエネルギー貯蔵装置１４０の消費パターンを測定することができる。このような電力の消費パターンは、以後、ＮＩＬＭ（Ｎｏｎ−ｉｎｔｒｕｓｉｖｅ  Ｌｏａｄ  Ｍｏｎｉｔｏｒｉｎｇ）アルゴリズムを利用して分析されることで、複数の負荷それぞれが消費する電力量、複数の負荷それぞれの動作状態情報、エネルギー貯蔵装置１４０が消費する電力量及びエネルギー貯蔵装置１４０の動作状態情報の少なくとも一つを獲得するのに用いられ得る。
【０１５２】
一方、エネルギー貯蔵装置１４０の入力端に連結される第３電力測定装置１７３は、エネルギー貯蔵装置１４０に貯蔵される電力量やエネルギー貯蔵装置１４０で放電する電力量を測定できる少なくとも一つのモジュールで構成することができる。
【０１５３】
また、第３電力測定装置１７３は、エネルギー貯蔵装置１４０の電力の消費パターンを測定できる少なくとも一つのモジュールで構成することができる。このようなエネルギー貯蔵装置１４０の電力の消費パターンは、以後、ＮＩＬＭ（Ｎｏｎ−ｉｎｔｒｕｓｉｖｅ  Ｌｏａｄ  Ｍｏｎｉｔｏｒｉｎｇ）アルゴリズムを利用して分析されることで、エネルギー貯蔵装置１４０に貯蔵されるか、またはエネルギー貯蔵装置１４０で放電する電力量、エネルギー貯蔵装置１４０の動作状態情報の少なくとも一つを獲得するのに用いられ得る。
【０１５４】
一方、新再生エネルギー源１５０の出力端に連結される第４電力測定装置１７４は、新再生エネルギー源１５０で発電する電力に対する電力量データを測定できる少なくとも一つのモジュールで構成されている。具体的に、第４電力測定装置１７４は、新再生エネルギー源１５０とエネルギー貯蔵装置１４０が連結される箇所に設けられ、新再生エネルギー源１５０からエネルギー貯蔵装置１４０に印加される電力量データを確認することができる。
【０１５５】
上述したような電力測定装置１７１、１７２、１７３、１７４を含む電力モニタリングシステムの構成に基づいて、図１２乃至図１９を参照し、一実施形態に係る負荷電力モニタリング方法について詳細に説明する。以下のモニタリング方法は、データが収集される順序を限定して説明したが、これは、データ収集順序と関係なく各電力測定装置１７１、１７２、１７３、１７４からデータを収集することができる。
【０１５６】
図１２乃至図１９は、本発明の実施形態に係る電力モニタリングシステムの電力モニタリング方法を説明するためのフローチャートである。
【０１５７】
図１２は、エネルギー貯蔵装置１４０がＤＣ充電モードで動作する場合、モニタリングサーバ１０において第１電力測定装置１７１で取得された第１電力量データ及び第４電力測定装置１７４で取得された第４電力量データを利用して電力をモニタリングする方法を説明するフローチャートである。
【０１５８】
図１２を参照すると、モニタリングサーバ１０は、通信部１１を通して電力量データを収集することができる（Ｓ１２１０）。具体的に、モニタリングサーバ１０は、外部電力供給源１１０の出力端に構成される第１電力測定装置１７１から第１電力量データを受信することができる。また、モニタリングサーバ１０は、新再生エネルギー源１５０の出力端に構成される第４電力測定装置１７４から第４電力量データを受信することができる。
【０１５９】
一方、図１１においては、分電盤１２０の入力端に第２電力測定装置１７２を、エネルギー貯蔵装置１４０の入力端に第３電力測定装置１７３を構成することを例に挙げて説明した。一方、第２電力測定装置１７２の第２電力量データ、第３電力測定装置１７３の第３電力量データは、第１電力量データ及び第４電力量データにより推定され得、本実施形態においては、第２、第３電力量データを利用しなくても電力をモニタリングすることができる。
【０１６０】
モニタリングサーバ１０の制御部１２は、通信部１１を通して収集された第１電力測定装置１７１の第１電力量データを分析することができる（Ｓ１２２０）。
【０１６１】
この場合、第１電力量データには、外部電力供給源１１０から印加された電力量に対する情報が含まれ得る。
【０１６２】
また、第１電力量データは、複数の電子機器１３０及びエネルギー貯蔵装置１４０の総電力消費量及び総電力消費パターンを含むことができる。
【０１６３】
また、第１電力量データは、複数の電子機器１３０を構成する個別電子機器の電力消費パターン、エネルギー貯蔵装置１４０の電力消費パターンを含むことができる。
【０１６４】
モニタリングサーバ１０の制御部１２は、通信部１１を通して収集された第４電力測定装置１７４の第４電力量データを分析することができる（Ｓ１２３０）。
【０１６５】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０１６６】
モニタリングサーバ１０の制御部１２は、第１電力測定装置１７１で取得された第１電力量データ及び第４電力測定装置１７４で取得された第４電力量データに基づいて第２電力量データ及び第３電力量データを推定し、システムの電力をモニタリングすることができる（Ｓ１２４０）。
【０１６７】
具体的に、制御部１２は、第１電力測定装置１７１で取得された第１電力量データを利用して外部電力供給源１１０から印加される電力量を獲得することができる。また、制御部１２は、第１電力測定装置１７１で取得された第１電力量データを利用して、複数の電子機器１３０を構成する個別電子機器の消費電力量及び個別電子機器の動作状態情報の少なくとも一つを獲得することができる。また、制御部１２は、第４電力測定装置１７４で取得された第４電力量データを利用して、新再生エネルギー源１５０から印加されてエネルギー貯蔵装置１４０に貯蔵される充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０１６８】
一方、モニタリングサーバ１０の制御部１２は、第１電力測定装置１７１で取得された第１電力量データ及び第４電力測定装置１７４で取得された第４電力量データを利用して、第２電力量データ及び第３電力量データの少なくとも一つを推定することができる。具体的には、エネルギー貯蔵装置１４０がＤＣ充電モードである場合、エネルギー貯蔵装置１４０は、分電盤１２０から何らの電力の分配を受けず、分電盤１２０を通して電子機器１３０に電力を放電することもない。従って、制御部１２は、第２電力量データが第１電力量データと同一のものであり、第３電力量データには、電力の流れがないものと推定することができる。
【０１６９】
一方、モニタリングサーバ１０は、第１電力量データ、第４電力量データ及び第１電力量データ、第４電力量データを利用して推定した他の電力量データを利用してシステム全体の電力をモニタリングすることができる。
【０１７０】
一方、制御部１２は、モニタリング結果を格納部１３に格納することができる（Ｓ１２５０）。
【０１７１】
図１３は、エネルギー貯蔵装置１４０がＤＣ充電モードで動作する場合、モニタリングサーバ１０において第２電力測定装置１７２で取得された第２電力量データ及び第４電力測定装置１７４で取得された第４電力量データを利用して電力をモニタリングする方法を説明するフローチャートである。
【０１７２】
一方、ＤＣ充電モードでは、エネルギー貯蔵装置１４０は、分電盤１２０から何らの電力の分配を受けず、分電盤１２０を通して電子機器１３０に電力を放電することもない。従って、ＤＣ充電モードでは、第２電力量データが第１電力量データと同一であり、図１２において説明した第１、第４電力量データを利用してシステム全体の電力をモニタリングする方法が、図１３における第２、第４電力量データを利用してシステム全体の電力をモニタリングする方法にそのまま適用することができる。
【０１７３】
一方、エネルギー貯蔵装置１４０がＡＣ充電モードで動作する場合、モニタリングサーバ１０で電力をモニタリングする方法を図１４乃至図１６を参照して説明する。
【０１７４】
図１４は、エネルギー貯蔵装置１４０がＡＣ充電モードで動作する場合、モニタリングサーバ１０において第１電力測定装置１７１で取得された第１電力量データ、第２電力測定装置１７２で取得された第２電力量データ及び第４電力測定装置１７４で取得された第４電力量データを利用して電力をモニタリングする方法を説明するためのフローチャートである。
【０１７５】
図１４を参照すると、モニタリングサーバ１０は、通信部１１を通して電力量データを収集することができる（Ｓ１４１０）。具体的に、モニタリングサーバ１０は、外部電力供給源１１０の出力端に構成される第１電力測定装置１７１、分電盤１２０の入力端に構成される第２電力測定装置１７２及び新再生エネルギー源１５０の出力端に構成される第４電力測定装置１７４から電力量データを受信することができる。
【０１７６】
一方、図１１においては、エネルギー貯蔵装置１４０の入力端に第３電力測定装置１７３を構成することを例に挙げて説明した。一方、第３電力測定装置１７３の第３電力量データは、第１電力量データ、第２電力量データ及び第４電力量データにより推定され得、本実施形態においては、第３電力量データを利用しなくても電力をモニタリングすることができる。
【０１７７】
モニタリングサーバ１０の制御部１２は、通信部１１を通して収集された第１電力測定装置１７１の第１電力量データを分析することができる（Ｓ１４２０）。
【０１７８】
この場合、第１電力量データは、外部電力供給源１１０から印加された電力量に対する情報が含まれ得る。
【０１７９】
モニタリングサーバ１０の制御部１２は、通信部１１を通して収集された第２電力測定装置１７２の第２電力量データを分析することができる（Ｓ１４３０）。
【０１８０】
一方、第２電力量データは、複数の電子機器１３０及びエネルギー貯蔵装置１４０の総電力消費量、総電力消費パターンを含むことができる。また、第２電力量データは、複数の電子機器１３０を構成する個別電子機器とエネルギー貯蔵装置１４０の電力消費パターンを含むことができる。
【０１８１】
モニタリングサーバ１０の制御部１２は、通信部１１を通して収集された第４電力測定装置１７４の第４電力量データを分析することができる（Ｓ１４４０）。
【０１８２】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０１８３】
モニタリングサーバ１０の制御部１２は、第１電力測定装置１７１で取得された第１電力量データ、第２電力測定装置１７２で取得された第２電力量データ及び第４電力測定装置１７４で取得された第４電力量データに基づいて第３電力量データを推定し、システムの電力をモニタリングすることができる（Ｓ１４５０）。
【０１８４】
具体的に、制御部１２は、第１電力測定装置１７１で取得された第１電力量データを利用して外部電力供給源１１０から印加される電力量を獲得することができる。また、制御部１２は、第２電力測定装置１７２で取得された第２電力量データを利用して、複数の電子機器１３０及びエネルギー貯蔵装置１４０が消費する総電力消費量、複数の電子機器１３０を構成する個別電子機器が消費する電力量及び個別電子機器の動作状態情報、エネルギー貯蔵装置１４０の動作状態情報の少なくとも一つを獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０１８５】
また、制御部１２は、第１電力量データ及び第２電力量データを利用して第３電力量データを推定することで、エネルギー貯蔵装置１４０のＡＣ充電量を獲得することができる。具体的に、制御部１２は、第１電力量データに含まれた外部電力供給源１１０から印加される電力量から第２電力量データに含まれた複数の電子機器１３０の総電力消費量を引く（−）ことで、エネルギー貯蔵装置１４０のＡＣ充電量を獲得することができる。
【０１８６】
一方、制御部１２は、モニタリング結果及びエネルギー貯蔵装置１４０の動作状態情報を格納部１３に格納することができる（Ｓ１４６０）。
図１５は、エネルギー貯蔵装置１４０がＡＣ充電モードで動作する場合、モニタリングサーバ１０において第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【０１８７】
図１５を参照すると、モニタリングサーバ１０は、通信部１１を通して電力量データを収集することができる（Ｓ１５１０）。具体的に、モニタリングサーバ１０は、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【０１８８】
一方、図２においては、外部電力供給源１１０の出力端に第１電力測定装置１７１を構成することを例に挙げて説明したが、第１電力測定装置１７１の第１電力量データは、第２電力量データ、第３電力量データ及び第４電力量データにより推定され得、本実施形態においては、第１電力量データを利用しなくても電力をモニタリングすることができる。
【０１８９】
モニタリングサーバ１０の制御部１２は、通信部１１を通して収集された第２電力測定装置１７２の第２電力量データを分析することができる（Ｓ１５２０）。
【０１９０】
一方、第２電力量データは、複数の電子機器１３０の総電力消費量及び総電力消費パターンを含むことができる。また、第２電力量データは、複数の電子機器１３０を構成する個別電子機器とエネルギー貯蔵装置１４０の電力消費パターンを含むことができる。
【０１９１】
モニタリングサーバ１０の制御部１２は、通信部１１を通して収集された第３電力測定装置１７３の第３電力量データを分析することができる（Ｓ１５３０）。
【０１９２】
この場合、第３電力量データは、分電盤１２０で分配されてエネルギー貯蔵装置１４０に印加される交流電力量に対する情報を含むことができる。
モニタリングサーバ１０の制御部１２は、通信部１１を通して収集された第４電力測定装置１７４の第４電力量データを分析することができる（Ｓ１５４０）。
【０１９３】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０１９４】
モニタリングサーバ１０の制御部１２は、第２電力測定装置１７２で取得された第２電力量データ、第３電力測定装置１７３で取得された第３電力量データ及び第４電力測定装置１７４で取得された第４電力量データに基づいて第１電力量データを推定し、システムの電力をモニタリングすることができる（Ｓ１５５０）。
【０１９５】
具体的に、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、外部電力供給源１１０から供給されてエネルギー貯蔵装置１４０に印加されることによりエネルギー貯蔵装置１４０で充電されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０１９６】
また、制御部１２は、第２電力量データ及び第３電力量データを利用して第１電力量データを推定することで、外部電力供給源１１０から印加される電力量を獲得することができる。具体的に、制御部１２は、第２電力量データに含まれた複数の電子機器１３０の総消費電力量と第３電力量データに含まれたエネルギー貯蔵装置１４０に充電される交流電力量を足す（＋）ことで、外部電力供給源１１０から印加される電力量を獲得することができる。
【０１９７】
一方、制御部１２は、モニタリング結果及びエネルギー貯蔵装置１４０の動作状態情報を格納部１３に格納することができる（Ｓ１５６０）。
【０１９８】
図１６は、エネルギー貯蔵装置１４０がＡＣ充電モードで動作する場合、モニタリングサーバ１０において第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【０１９９】
図１６を参照すると、モニタリングサーバ１０は、通信部１１を通して電力量データを収集することができる（Ｓ１６１０）。具体的に、モニタリングサーバ１０は、外部電力供給源１１０の出力端に構成される第１電力測定装置１７１、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【０２００】
モニタリングサーバ１０の制御部１２は、通信部１１を通して収集された第１電力測定装置１７１の第１電力量データを分析することができる（Ｓ１６２０）。
【０２０１】
この場合、第１電力量データは、外部電力供給源１１０から印加された電力量に対する情報が含まれ得る。言い換えれば、第１電力量データは、エネルギー貯蔵装置１４０と複数の電子機器１３０で消費される総消費電力量に対する情報を含むことができる。
【０２０２】
モニタリングサーバ１０の制御部１２は、通信部１１を通して収集された第２電力測定装置１７２の第２電力量データを分析することができる（Ｓ１６３０）。
【０２０３】
一方、第２電力量データは、複数の電子機器１３０及びエネルギー貯蔵装置１４０の総電力消費量、総電力消費パターンを含むことができる。また、第２電力量データは、複数の電子機器１３０を構成する個別電子機器とエネルギー貯蔵装置１４０の電力消費パターンを含むことができる。
【０２０４】
モニタリングサーバ１０の制御部１２は、通信部１１を通して収集された第３電力測定装置１７３の第３電力量データを分析することができる（Ｓ１６４０）。
【０２０５】
この場合、第３電力量データは、分電盤１２０で分配されてエネルギー貯蔵装置１４０に印加される交流電力量に対する情報を含むことができる。
【０２０６】
モニタリングサーバ１０の制御部１２は、通信部１１を通して収集された第４電力測定装置１７４の第４電力量データを分析することができる（Ｓ１６５０）。
【０２０７】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０２０８】
モニタリングサーバ１０の制御部１２は、第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データに基づいてシステムの電力をモニタリングすることができる（Ｓ１６６０）。
【０２０９】
具体的に、制御部１２は、第１電力測定装置１７１で取得された第１電力量データを利用して、外部電力供給源１１０から供給される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、外部電力供給源１１０から供給されてエネルギー貯蔵装置１４０に印加されることによりエネルギー貯蔵装置１４０で充電されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０２１０】
一方、制御部１２は、モニタリング結果及びエネルギー貯蔵装置１４０の動作状態情報を格納部１３に格納することができる（Ｓ１６７０）。
一方、エネルギー貯蔵装置１４０が放電モード（発電源）で動作する場合、モニタリングサーバ１０で電力をモニタリングする方法を図１７乃至図１９を参照して説明する。
【０２１１】
図１７は、エネルギー貯蔵装置１４０が放電モード（発電源）で動作する場合、モニタリングサーバ１０において第１電力測定装置１７１で取得された第１電力量データ、第２電力測定装置１７２で取得された第２電力量データ及び第４電力測定装置１７４で取得された第４電力量データを利用して電力をモニタリングする方法を説明するためのフローチャートである。
【０２１２】
図１７を参照すると、モニタリングサーバ１０は、通信部１１を通して電力量データを収集することができる（Ｓ１７１０）。具体的に、モニタリングサーバ１０は、外部電力供給源１１０の出力端に構成される第１電力測定装置１７１、分電盤１２０の入力端に構成される第２電力測定装置１７２及び新再生エネルギー源１５０の出力端に構成される第４電力測定装置１７４から電力量データを受信することができる。
【０２１３】
一方、図１１においては、エネルギー貯蔵装置１４０の入力端に第３電力測定装置１７３を構成することを例に挙げて説明したが、第３電力測定装置１７３の第３電力量データは、第１電力量データ、第２電力量データ及び第４電力量データにより推定され得、本実施形態においては、第３電力量データを利用しなくても電力をモニタリングすることができる。
【０２１４】
モニタリングサーバ１０の制御部１２は、通信部１１を通して収集された第１電力測定装置１７１の第１電力量データを分析することができる（Ｓ１７２０）。
【０２１５】
この場合、第１電力量データは、外部電力供給源１１０から印加された電力量に対する情報が含まれ得る。
【０２１６】
モニタリングサーバ１０の制御部１２は、通信部１１を通して収集された第２電力測定装置１７２の第２電力量データを分析することができる（Ｓ１７３０）。
【０２１７】
一方、第２電力量データは、複数の電子機器１３０の総電力消費量、総電力消費パターンを含むことができる。また、第２電力量データは、複数の電子機器１３０を構成する個別電子機器の電力消費パターンを含むことができる。
モニタリングサーバ１０の制御部１２は、通信部１１を通して収集された第４電力測定装置１７４の第４電力量データを分析することができる（Ｓ１７４０）。
【０２１８】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０２１９】
モニタリングサーバ１０の制御部１２は、第１電力測定装置１７１で取得された第１電力量データ、第２電力測定装置１７２で取得された第２電力量データ及び第４電力測定装置１７４で取得された第４電力量データに基づいて第３電力量データを推定し、システムの電力をモニタリングすることができる（Ｓ１７５０）。
【０２２０】
具体的に、制御部１２は、第１電力測定装置１７１で取得された第１電力量データを利用して外部電力供給源１１０から印加される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０２２１】
また、制御部１２は、第１電力量データ及び第２電力量データを利用して第３電力量データを推定することで、エネルギー貯蔵装置１４０のＡＣ放電量を獲得することができる。具体的に、制御部１２は、第２電力量データに含まれた複数の電子機器１３０の総電力消費量から第１電力量データに含まれた外部電力供給源１１０から印加される電力量を引く（−）ことで、エネルギー貯蔵装置１４０のＡＣ放電量を獲得することができる。
【０２２２】
一方、制御部１２は、モニタリング結果及びエネルギー貯蔵装置１４０の動作状態情報を格納部１３に格納することができる（Ｓ１７６０）。
【０２２３】
図１８は、エネルギー貯蔵装置１４０が放電モード（発電源）で動作する場合、モニタリングサーバ１０において第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【０２２４】
図１８を参照すると、モニタリングサーバ１０は、通信部１１を通して電力量データを収集することができる（Ｓ１８１０）。具体的に、モニタリングサーバ１０は、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【０２２５】
一方、図１８においては、外部電力供給源１１０の出力端に第１電力測定装置１７１を構成することを例に挙げて説明した。一方、第１電力測定装置１７１の第１電力量データは、第２電力量データ、第３電力量データ及び第４電力量データにより推定され得、本実施形態においては、第１電力量データを利用しなくても電力をモニタリングすることができる。
【０２２６】
モニタリングサーバ１０の制御部１２は、通信部１１を通して収集された第２電力測定装置１７２の第２電力量データを分析することができる（Ｓ１８２０）。
【０２２７】
この場合、第２電力量データは、複数の電子機器１３０の総電力消費量、総電力消費パターンを含むことができる。また、第２電力量データは、複数の電子機器１３０を構成する個別電子機器の電力消費パターンを含むことができる。
モニタリングサーバ１０の制御部１２は、通信部１１を通して収集された第３電力測定装置１７３の第３電力量データを分析することができる（Ｓ１８３０）。
【０２２８】
この場合、第３電力量データは、外部電力供給源１１０から供給されてエネルギー貯蔵装置１４０に印加される交流電力量に対する情報を含むことができる。逆に説明すると、第３電力量データは、エネルギー貯蔵装置１４０で放電されて電子機器１３０に印加される交流電力量に対する情報を含むことができる。
【０２２９】
モニタリングサーバ１０の制御部１２は、通信部１１を通して収集された第４電力測定装置１７４の第４電力量データを分析することができる（Ｓ１８４０）。
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０２３０】
モニタリングサーバ１０の制御部１２は、第２電力測定装置１７２で取得された第２電力量データ、第３電力測定装置１７３で取得された第３電力量データ及び第４電力測定装置１７４で取得された第４電力量データに基づいて第１電力量データを推定し、システムの電力をモニタリングすることができる（Ｓ１８５０）。
【０２３１】
具体的に、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、エネルギー貯蔵装置１４０で放電されて電子機器１３０に供給されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
また、制御部１２は、第２電力量データ及び第３電力量データを利用して第１電力量データを推定することで、外部電力供給源１１０から印加される電力量を獲得することができる。具体的に、制御部１２は、第２電力量データに含まれた複数の電子機器１３０の総消費電力量からエネルギー貯蔵装置１４０で放電する交流電力量を引く（−）ことで、外部電力供給源１１０から印加される電力量を獲得することができる。
【０２３２】
一方、制御部１２は、モニタリング結果及びエネルギー貯蔵装置１４０の動作状態情報を格納部１３に格納することができる（Ｓ１８６０）。
【０２３３】
図１９は、エネルギー貯蔵装置１４０が放電モード（発電源）で動作する場合、モニタリングサーバ１０において第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データを利用して電力をモニタリングする方法を説明するためのフローチャートである。
【０２３４】
図１９を参照すると、モニタリングサーバ１０は、通信部１１を通して電力量データを収集することができる（Ｓ１９１０）。具体的に、モニタリングサーバ１０は、外部電力供給源１１０の出力端に構成される第１電力測定装置１７１、分電盤１２０の入力端に構成される第２電力測定装置１７２、エネルギー貯蔵装置１４０の入力端に構成される第３電力測定装置１７３及び新再生エネルギー源１５０の出力端に構成される第４電力測定装置１７４から電力量データを受信することができる。
【０２３５】
モニタリングサーバ１０の制御部１２は、通信部１１を通して収集された第１電力測定装置１７１の第１電力量データを分析することができる（Ｓ１９２０）。
【０２３６】
この場合、第１電力量データは、外部電力供給源１１０から印加された電力量に対する情報が含まれ得る。
【０２３７】
モニタリングサーバ１０の制御部１２は、通信部１１を通して収集された第２電力測定装置１７２の第２電力量データを分析することができる（Ｓ１９３０）。
【０２３８】
この場合、第２電力量データは、複数の電子機器１３０の総電力消費量、総電力消費パターンを含むことができる。また、第２電力量データは、複数の電子機器１３０を構成する個別電子機器の電力消費パターンを含むことができる。
モニタリングサーバ１０の制御部１２は、通信部１１を通して収集された第３電力測定装置１７３の第３電力量データを分析することができる（Ｓ１９４０）。
【０２３９】
この場合、第３電力量データは、分電盤１２０で分配されてエネルギー貯蔵装置１４０に印加される交流電力量に対する情報を含むことができる。逆に説明すると、第３電力量データは、エネルギー貯蔵装置１４０で放電されて電子機器１３０に印加される交流電力量に対する情報を含むことができる。
モニタリングサーバ１０の制御部１２は、通信部１１を通して収集された第４電力測定装置１７４の第４電力量データを分析することができる（Ｓ１９５０）。
【０２４０】
この場合、第４電力測定装置１７４の第４電力量データは、新再生エネルギー源１５０が生成してエネルギー貯蔵装置１４０に印加する電力量、即ち、新再生エネルギー源１５０により生成されたＤＣ電力をエネルギー貯蔵装置１４０で充電する電力量を含むことができる。
【０２４１】
モニタリングサーバ１０の制御部１２は、第１電力測定装置１７１で取得された第１電力量データ、第２電力測定装置１７２で取得された第２電力量データ、第３電力測定装置１７３で取得された第３電力量データ及び第４電力測定装置１７４で取得された第４電力量データに基づいてシステムの電力をモニタリングすることができる（Ｓ１９６０）。
【０２４２】
具体的に、制御部１２は、第１電力測定装置１７１で取得された第１電力量データを利用して、外部電力供給源１１０から供給される電力量を獲得することができる。また、制御部１２は、第２電力測定装置１７２で取得された第２電力量データを利用して、複数の電子機器１３０の総電力消費量、複数の電子機器１３０を構成する個別電子機器が消費する電力量及び個別電子機器の動作状態情報の少なくとも一つを獲得することができる。また、制御部１２は、第３電力測定装置１７３で取得された第３電力量データを利用して、エネルギー貯蔵装置１４０で放電されて電子機器１３０に供給されるＡＣ電力量を獲得することができる。また、制御部１２は、第４電力測定装置１７４で取得された第４電力量データを利用して、新再生エネルギー源１５０からエネルギー貯蔵装置１４０に印加される電力量を獲得することで、エネルギー貯蔵装置１４０のＤＣ充電量を獲得することができる。この場合、ＮＩＬＭ（Ｎｏｎ−ｉｎｔｒｕｓｉｖｅ  Ｌｏａｄ  Ｍｏｎｉｔｏｒｉｎｇ）アルゴリズムを利用することができる。
【０２４３】
一方、制御部１２は、モニタリング結果及びエネルギー貯蔵装置１４０の動作状態情報を格納部１３に格納することができる（Ｓ１９７０）。
【０２４４】
このように、本実施形態は、第１電力測定装置１７１、第２電力測定装置１７２、第３電力測定装置１７３及び第４電力測定装置１７４を利用して外部電力供給源１１０からの供給電力量、エネルギー貯蔵装置１４０の充電量及び放電量、新再生エネルギー源１５０の放電量、複数の電子機器１３０の総電力消費量、個別電子機器が消費する電力量、個別電子機器の動作状態情報等を全て把握することができるので、電力の生産及び消費に対する総合的なモニタリングを可能とする。
【０２４５】
また、本実施形態は、第１電力測定装置１７１、第２電力測定装置１７２及び第３電力測定装置１７３の一つ以上が存在しなくても、外部電力供給源１１０からの供給電力量やエネルギー貯蔵装置１４０で使用される電力量に対する推定が可能であるため、複数の電力測定装置のいずれか一つの故障や修理に関係なく電力の生産及び消費に対する総合的なモニタリングが可能となる。
【０２４６】
また、本実施形態は、第１電力測定装置１７１、第２電力測定装置１７２、第３電力測定装置１７３及び第４電力測定装置１７４を全て利用することで、誤差を最小化してシステム内の電力をモニタリングすることができる。
【０２４７】
図２１は、本発明の実施形態に係る電力モニタリング結果の出力動作のフローチャートであり、図２２は、本発明の実施形態に係る電力モニタリング結果の出力例示図である。
【０２４８】
図２１及び図２２を参照し、本発明の実施形態によってモニタリングサーバ１０の格納部１３に格納された電力モニタリング結果を出力するための動作を詳細に説明する。
【０２４９】
図２１及び図２２を参照すると、モニタリングサーバ１０の制御部１２は、本発明の一実施形態、他の実施形態及びまた他の実施形態によって測定及び取得されて格納部１３に格納されたモニタリング結果の出力要請信号を感知することができる（Ｓ２１１０）。前記出力要請信号は、使用者入力部（図示しない）を通して入力されるか、または遠隔地の端末機等から有線または無線で受信することができる。
【０２５０】
モニタリングサーバ１０の制御部１２は、格納部１３に格納されたモニタリング結果を抽出し（Ｓ２１２０）、図２２のようなグラフ、数値、テキスト等の様々な様相で電力量データを表示することができる（Ｓ２１３０）。図２２は、電子機器、エネルギー貯蔵装置１４０の消費電力量または充電量に対する情報を図示化したものである。その例として、Ａ乃至Ｃは、家電機器１３０の電力量の例であり、Ｄは、エネルギー貯蔵装置１４０の電力量の例である。家電機器の電力量の場合、ＮＩＬＭ分析に要求される電力量データが取得されることにより、電力量の周期が短く示すことができる。
【０２５１】
本発明の実施形態においては、外部電力供給源１１０、分電盤１２０、電子機器１３０、エネルギー貯蔵装置１４０及び新再生エネルギー源１５０でそれぞれ電力量データを測定または推定するための動作を順次に説明したが、上述の電力量データを推定または測定するための動作順序は限定されず、様々な形態に可変されて実行することができる。
【０２５２】
本発明の一実施形態によると、従来の外部電力供給源の他にもエネルギー貯蔵装置１４０及び新再生エネルギー源１５０が付加された場合、負荷に供給される電力に対する消費状態とエネルギー貯蔵装置１４０及び新再生エネルギー源１５０の電力生産状態を総合的にモニタリングできる効果がある。
【０２５３】
以上においては、好ましい実施形態について図示し、説明したが、本発明の技術的思想は、上述した特定の実施形態に限定されず、請求の範囲で請求する本発明の要旨を外れることなく当該発明の属する技術の分野における通常の知識を有する者により様々な変形実施が可能であることはもちろんであり、このような変形実施は、本発明の技術的思想や展望から個別的に理解されてはならないだろう。
【符号の説明】
【０２５４】
１０  ：モニタリングサーバ（サーバ）
１１  ：通信部
１２  ：制御部
１３  ：格納部
１４  ：出力部
１１０：外部電力供給源
１２０：分電盤
１３０：電子機器、家電機器（負荷）
１４０：エネルギー貯蔵装置
１５０：新再生エネルギー源
１７１：第１電力測定装置
１７２：第２電力測定装置
１７３：第３電力測定装置
１７４：第４電力測定装置
【図１】
2017051087.tif 000003
【図２】
2017051087.tif 000004
【図３】
2017051087.tif 000005
【図４】
2017051087.tif 000006
【図５】
2017051087.tif 000007
【図６】
2017051087.tif 000008
【図７】
2017051087.tif 000009
【図８】
2017051087.tif 000010
【図９】
2017051087.tif 000011
【図１０】
2017051087.tif 000012
【図１１】
2017051087.tif 000013
【図１２】
2017051087.tif 000014
【図１３】
2017051087.tif 000015
【図１４】
2017051087.tif 000016
【図１５】
2017051087.tif 000017
【図１６】
2017051087.tif 000018
【図１７】
2017051087.tif 000019
【図１８】
2017051087.tif 000020
【図１９】
2017051087.tif 000021
【図２０】
2017051087.tif 000022
【図２１】
2017051087.tif 000023
【図２２】
2017051087.tif 000024